Podtech/llm-jp-corpus-v4-ja_patent huggingface dataset:
(57)【要約】      （修正有）【課題】硫化水素含有ガスの湿度を規定することにより、硫化水素の除害をより効率的に行う。【解決手段】硫化水素含有ガスを酸化鉄に接触させる硫化水素の除害方法であって、前記硫化水素含有ガスの湿度は、３０％以上である。【選択図】なし【特許請求の範囲】
【請求項１】
硫化水素含有ガスを酸化鉄に接触させる硫化水素の除害方法であって、
前記硫化水素含有ガスの湿度は、３０％以上である
硫化水素の除害方法。
【請求項２】
請求項１に記載の硫化水素の除害方法において、
前記硫化水素含有ガスの湿度は１００％である
硫化水素の除害方法。
【発明の詳細な説明】
【技術分野】
【０００１】
本発明は、酸化鉄を用いた硫化水素の除害方法に関する。
【背景技術】
【０００２】
従来、特許文献１では、硫化水素含有ガスを酸化鉄系触媒と接触させる際、酸化鉄系触媒の温度を規定することで硫化水素を効率的に分解している。
【先行技術文献】
【特許文献】
【０００３】
【特許文献１】特開２００９−１２５６５１号公報
【発明の概要】
【発明が解決しようとする課題】
【０００４】
しかしながら上記特許文献１にあっては、硫化水素含有ガスの湿度と硫化水素除害量の関係については記載されていない。
本発明は上記問題点に着目してなされたものであり、その目的とするところは、硫化水素含有ガスの湿度を規定することにより、硫化水素の除害をより効率的に行うことにある。
【課題を解決するための手段】
【０００５】
上述の目的を解決するため、本願発明では、硫化水素含有ガスの湿度は、３０％以上であることとした。
【発明の効果】
【０００６】
よって、硫化水素の除害をより効率的に行うことができる。
【発明を実施するための形態】
【０００７】
本発明の硫化水素の除害方法では、除害剤としてハニカム化した樹脂基材（ポリエステル等）に酸化鉄を添着させたものが用いられる（例えば、フジタ商会製：コルラインＳＣ−Ｇ−０８等）。この除害剤に、硫化水素含有ガスを接触させ、硫化水素を除害する。接触させる際は常温常圧であってもよいし、温度や圧力を適宜変更してもよい。なお、除害剤は粒状のものであってもよい。
【０００８】
除害剤は、樹脂基材を円筒状に捲回したものであってもよいし、複数の樹脂基材を積層したものであってもよい。この除害剤を容器内に格納し、硫化水素含有ガスをこの容器内に供給することで両者を接触させ、硫化水素除害後のガス出口からを排出する。供給される硫化水素含有ガスは、湿度が高くなるほど好ましく、３０％以上が好ましい。より好ましくは湿度１００％である。
【実施例】
【０００９】
［実施例１］
内径９００ｍｍ、高さ６７０ｍｍの円筒状の塩化ビニル製容器に除害剤（フジタ商会製：コルラインＳＣ−Ｇ−０８）を４２０リットル充填し、０．０１容量％（１００ｐｐｍ）の硫化水素含有ガス（Ａｉｒ：９９．９容量％）を容器に供給し、容器の入口、出口それぞれにおける硫化水素ガス濃度の検出を行った（ガステック社製ガス検知管、入口濃度測定用；型番  NO.４HM、出口濃度測定用；型番  NO.４LL）。硫化水素含有ガスの供給条件は、常圧下、２５℃、空間速度２５００（１/ｈ）、流量１７．５（ｍ３/ｍｉｎ）であり、湿度は３０％である。
【００１０】
そして、容器出口において硫化水素が許容濃度である０．００１容量％（１０ｐｐｍ）となるまでの時間（破過時間）を硫化水素含有ガスの供給時間とし、この供給時間内に容器出口から排出された硫化水素の量を測定し、硫化水素の供給量と排出量の差に基づき、容器内で除害された硫化水素の量を求めた（表１参照）。
【００１１】
［実施例２］
容器内に供給する硫化水素含有ガスの湿度を１００％とし、容器内で除害された硫化水素の量を求めた（表１参照）。なお、湿度以外の条件は実施例１と同様である。
【００１２】
［比較例］
容器内に供給する硫化水素含有ガスの湿度を０％とし、それ以外は実施例１、２と同じ条件として容器内で除害された硫化水素の量を求めた（表１参照）。
【００１３】
【表１】
2013022498.tif 000002
【００１４】
表１から、湿度を３０％とした実施例１では、比較例と比べて硫化水素の除害量が増大することが明らかとなった。また、湿度を１００％とした実施例２では、実施例１よりもさらに除害量が増大することが確認された。したがって、硫化水素含有ガスの湿度を増大させるほど、硫化水素を効率的に除害できるものと推定される。
【産業上の利用可能性】
【００１５】
本発明は、ガス中の硫化水素除去方法および装置一般に適用される。
(57)【要約】      （修正有）【課題】食事でお弁当箱を持ち運ぶ際、お弁当箱蓋表面が滑り易い為、途中で扉の開け閉め等片手で持たなければならない場合や階段の上り下り等でバランスを崩した時に上に乗せた器が滑り落ちてしまう危険があった。滑り止め材の塗布や貼り付けでは、繰り返し洗浄して使う耐久性の問題や剥がれ始めた場合の食品への混入の心配が懸念される他、運ぶ前後の保管場所の設置や定期的な衛生管理が必要になり不便であった。【解決手段】通常のお弁当箱やお弁当箱大・小それぞれの箱蓋部に凹み部分１を設けた。通常のお弁当箱並びに二段式お弁当箱小の蓋に施した凹み面には、滑り止め効果を上げる為、更に空気抜き用の溝加工を施した。これによって重ねたものが容易に滑り落ちない安全性が保たれる。新たに設けた凹み部分１全底角をＲ面にすることで、洗浄時の汚れ落ち効果を高め衛生面にも配慮を加えた。【選択図】図１
2013022407.tif 000002
【特許請求の範囲】
【請求項１】
上に重ねたものが容易に滑り落ちないよう、蓋部に滑り止め用凹みを施した通常の
お弁当箱と二段式お弁当箱大及びお弁当箱小。
【請求項２】
凹みの底全角を落としＲ面とした請求項１記載の通常のお弁当箱と二段式お弁当
箱大及びお弁当箱小。
【請求項３】
凹み面内で器の据わりを安定させる為、凹み面の空気抜き用の溝加工を施した請求
項１記載の通常のお弁当箱と二段式お弁当箱小。
【発明の詳細な説明】
【技術分野】
【０００１】
本発明は、通常のお弁当箱蓋並びに出前弁当等、二段式大小一組の弁当箱蓋への滑り止め加工に関する。
【背景技術】
【０００２】
食事でお弁当箱を持ち運ぶ際、蓋の上にスープを注いだお椀或いは飲料を注いだコップ等を重ねて運ぶ機会が多いにも係わらず、お弁当箱蓋表面が滑り易い為、途中で扉の開け閉め等片手で持たなければならない場合や階段の上り下り等でバランスを崩した時に上に乗せた器が滑り落ちてしまう危険があった。
二段式お弁当箱に於いてはこの危険性は更に倍増する。
落下防止をするには、蓋表面に滑り止め材を塗布或いは貼り付ける加工を施すか、滑り止めとなるゴム板のようなものを蓋と乗せるものの間に挟んで持ち運ぶ必要があった。
【発明の概要】
【発明が解決しようとする課題】
【０００３】
滑り止め材の塗布や貼り付けでは、使い捨てではなく繰り返し洗浄して使う耐久性の問題や、剥がれ始めた場合の食品への混入の心配が懸念される。
滑り止めとしてゴム板等を使用すると、運ぶ前後の保管場所の設置や、定期的な衛生管理が必要になり不便である。
【０００４】
本発明は、何か別のものを付けて対応しなければならない不便さを解決しようとするものであり、シンプルにお弁当箱の成型加工のみで対応できる様にする事を目的とするものである。
【課題を解決するための手段】
【０００５】
通常のお弁当箱並びに二段式お弁当箱のご飯用お弁当箱小の蓋にはお椀やコップの底が納まる凹み（Ｓａｆｅｇｕａｒｄ  Ｄｅｎｔ  １と命名）を施し、おかず用のお弁当箱大の蓋にはご飯用お弁当箱小の足が納まる凹み（Ｓａｆｅｇｕａｒｄ  Ｄｅｎｔ  ２と命名）を施した。
【０００６】
凹みの底全角を落としＲ面とした。
【０００７】
通常のお弁当箱並びに二段式お弁当箱小の蓋に施した凹み面には、滑り止め効果を上げる為、更に空気抜き用の溝加工を施した。
【発明の効果】
【０００８】
輸送の際に多少バランスが崩れても、それぞれの蓋に施した凹みによって上に乗せたご飯用お弁当箱、お椀やコップが容易に滑り落ちるのを防ぐ事ができる。
【０００９】
凹みの角全てにＲ面を施した事により、洗浄時の汚れ落ち効果が期待できる。
【００１０】
特にお椀には熱いものを入れる機会が多く、乗せる面が平面のままで密閉状態になってしまうと器の底の空間に溜まった空気が膨張して器が滑り易くなってしまう危険があるが、凹み面に溝加工を施す事により、膨張しようとする器の底の空気を常に外部へ抜く事が出来る。
【図面の簡単な説明】
【００１１】
【図１】お弁当箱大蓋の正面図
【図２】同お弁当箱大蓋図面１におけるＡ−Ａ線断面図
【図３】同お弁当箱大蓋図面２におけるＢ部拡大図
【図４】通常のお弁当箱或いはお弁当箱小蓋の正面図
【図５】同通常のお弁当箱或いはお弁当箱小蓋図面４におけるＣ−Ｃ線断面図
【図６】同通常のお弁当箱或いはお弁当箱小蓋図面５におけるＤ部拡大図
【発明を実施するための形態】
【００１２】
以下、本発明の実施の形態を図１〜図６に基づいて説明する。
【００１３】
図１においては、１はお弁当箱小の四隅の足が納まるように施した凹みである。
【００１４】
図４においては、３はお椀或いはコップの底が納まるように施した凹みである。
４は、３の凹み面内で器の据わりを安定させる空気抜き用の溝加工の一例である。
凹み面の構造については、凹み面内に同心円の２〜３段の窪みを設け、乗せる器の底の小さいものは内側の窪みに、大きくなるに従って大きい窪みに収まるように工夫する方法や、凹み面の中央部を高くして長軸方向に傾きをもたせて器が左右の壁に寄り添うようにする等、乗せた器の据わりを良くする応用形状は他にも色々考えられると思われる。
【００１５】
２は洗浄時の汚れ落ち効果を高める為に施したＲ面である。
【００１６】
通常のお弁当箱或いはお弁当箱小蓋に施した図４の楕円形状の凹みは、千差万別のお椀やコップの底のサイズに対応できる様、短径を大きいコップの底が入る大きさに設定する。
【００１７】
図４の楕円形状の凹みの形状については円形・四角形他選択できる形状は多様にあるところ、上に乗せる器の底の大小に係わらず乗せる器を凹みの長手方向左右どちらかに寄せ、更に運ぶ際に寄せた方を僅かに下げた姿勢を保つことで器の外周の2点が施した凹みの面に接して安定性が保たれる事を考慮し、乗せる器の底の大きさを最大限に許容できる楕円形状とした。
【産業上の利用可能性】
【００１８】
蓋に凹みが施されていない既に流通しているお弁当箱については、通常、表面に化粧フィルムが施されているものが多く追加工は難しいと思われるが、成型条件さえ整えば、追加工を施すだけでこのタイプへの改造の可能性も期待できる。
【符号の説明】
【００１９】
１Ａ  お弁当箱大蓋
２Ａ  通常のお弁当箱或いはお弁当箱小蓋
【図１】
2013022407.tif 000003
【図２】
2013022407.tif 000004
【図３】
2013022407.tif 000005
【図４】
2013022407.tif 000006
【図５】
2013022407.tif 000007
【図６】
2013022407.tif 000008
(57)【要約】【課題】  スクリーンに付着した異物を確実に除去することのできるストレーナを得ること。【解決手段】  本体３に入口１と出口２を形成して、内部にボール弁体５を回転可能に配置する。ボール弁体５の内部に円筒状のフィルタ部４を収容する。ボール弁体５のフィルタ部４とほぼ直交する位置に出口連通路６と入口連通路７をそれぞれ形成する。本体３の下端部にブロー通路８を形成する。  ボール弁体５を図示しないハンドル等で時計方向へ回転させて、入口連通路７が入口１と連通し、フィルタ部４の下端内周部がブロー通路８と連通することで、フィルタ部４の内周面に溜まった異物を逆洗することができる。【選択図】  図１
2013022479.tif 000002
【特許請求の範囲】
【請求項１】
入口と出口の間を多数の小径貫通孔を有したフィルタ部で区画して、当該フィルタ部で区画された一面側を入口と連通し他面側を出口と連通し、フィルタ部で入口から出口へ流下する流体中に含まれている異物を捕捉して、出口へ異物の除かれた流体を流下するものにおいて、フィルタ部を回転可能なボール弁体の内部に配置して、当該ボール弁体を回転操作することによって、フィルタ部の一面側と他面側を交互に入口と連通することができることを特徴とするストレーナ。
【発明の詳細な説明】
【技術分野】
【０００１】
本発明は、水や圧縮空気や蒸気等の各種流体配管に取り付けて、内部に設けたフィルタ部で流体中に混入している錆や固形粒子等の異物を捕捉するストレーナに関し、特にフィルタ部で捕捉されフィルタ部内周面に固着した異物を除去することのできるストレーナに関する。
【背景技術】
【０００２】
従来のストレーナの一例が特許文献１に示されている。これは、流出路とブロー通路にそれぞれ弁部材を取り付けて、スクリーン内周面に溜まった異物を、ブロー通路の弁部材を開弁することにより入口からの流体流れによって、外部へブローして除去することができるものである。
【先行技術文献】
【特許文献】
【０００３】
【特許文献１】特開平７−３０３８０７号公報
【発明の概要】
【発明が解決しようとする課題】
【０００４】
上記従来のストレーナは、スクリーン内周面の異物を確実に除去することができない問題がある。
【０００５】
従って、本発明が解決しようとする課題は、スクリーンに固着した異物を確実に除去することのできるストレーナを得ることである。
【課題を解決するための手段】
【０００６】
上記の課題を解決するために、本発明のストレーナは、入口と出口の間を多数の小径貫通孔を有したフィルタ部で区画して、当該フィルタ部で区画された一面側を入口と連通し他面側を出口と連通し、フィルタ部で入口から出口へ流下する流体中に含まれている異物を捕捉して、出口へ異物の除かれた流体を流下するものにおいて、フィルタ部を回転可能なボール弁体の内部に配置して、当該ボール弁体を回転操作することによって、フィルタ部の一面側と他面側を交互に入口と連通することができるものである。
【発明の効果】
【０００７】
本発明によれば、ボール弁体を回転操作することによって、フィルタ部の一面側と他面側を交互に入口と連通することで、フィルタ部を逆洗することができ、フィルタ部の内周面に固着した異物を確実に除去することができ、フィルタ部の目詰りを防止することができる。
【図面の簡単な説明】
【０００８】
【図１】本発明の実施の形態に係るストレーナの断面図である。
【発明を実施するための形態】
【０００９】
以下、本発明の実施の形態について、図１を参照して説明する。入口１と出口２を設けた本体３、入口１と出口２の間を区画する円筒状のフィルタ部４、及び、フィルタ部４を収容するボール弁体５とでストレーナを構成する。ボール弁体５には、フィルタ部４に対してほぼ垂直に出口連通路６と入口連通路７をそれぞれ形成する。
【００１０】
円筒状のフィルタ部４には図示はしないが多数の小径貫通孔をその全周及び全長に渡って設けて、入口１からフィルタ部４の円筒内部空間と出口連通路６を経て出口２へ流下する流体中に混入している異物を越し取るものである。従って、フィルタ部４で越し取られた異物は、フィルタ部４の内周面に付着して溜まる。
【００１１】
本体３の下端部にブロー通路８を形成する。図１に示す状態からボール弁体５を図示しないハンドル等で時計方向へ回転させて、入口連通路７が入口１と連通し、フィルタ部４の下端内周部がブロー通路８と連通することで、フィルタ部４の内周面に溜まった異物を逆洗することができる。
【００１２】
逆洗が終了すると、ボール弁体５を反時計方向へ回転させて、出口連通路６が出口２と連通し、フィルタ部４の上端内周部が入口１と連通することで図１に示す状態となり、再度、フィルタ部４の内周面に異物を捕捉するものである。
【産業上の利用可能性】
【００１３】
本発明は、フィルタ部を１個のみならず複数個取り付けたストレーナとしても利用することができる。
【符号の説明】
【００１４】
１  入口
２  出口
３  本体
４  フィルタ部
５  ボール弁体
６  出口連通路
７  入口連通路
８  ブロー通路
【図１】
2013022479.tif 000003
(57)【要約】【課題】  洗濯したシーツ等が風にあおられて汚れを付着したり絡み付いたりするのを防ぐために、  任意の場所に固定させるための長さ調節可能な紐を設けた洗濯バサミを提供する。【解決手段】洗濯バサミ（１）の一部に長さ調節を可能にするアジャスター（３）を設けた紐（２）を取付け、ループ状にした紐の端（４）を干し場の任意の場所に固定し、洗濯バサミ（１）を洗濯物（６）の裾等に挟みつけることを特徴とする。【選択図】図１
2013022445.tif 000002
【特許請求の範囲】
【請求項１】
洗濯バサミ本体に適度の長さの紐を取り付け、紐の長さは調節できるようにし、紐の末端をループ状に形成したことを特徴とするひも付き洗濯バサミ。
【発明の詳細な説明】
【技術分野】
【０００１】この発明は、紐付き洗濯バサミに関するものである。
【背景技術】
【０００２】従来、洗濯バサミは洗濯物が竿や物干しハンガー等から落下しないよう固定するために使われていた。
【先行技術文献】
【０００３】
【特許文献１】特開２００１−２２４８９６号広報
【非特許文献１】実願平６−６８６８９号広報
【発明の概要】
【発明が解決しようとする課題】
【０００４】これは次のような欠点があった。
（イ）特開２００１−２２４８９６に見られるような一般的な洗濯バサミは、洗濯物を竿に挟みつけたり物干しハンガー等に吊るすために使用されるが、風が吹くとシーツ等の洗濯物の裾があおられるので、狭い干し場では付近の建物の外壁や窓などに接触して汚れを付着させていた。
（ロ）また、洗濯物が風にあおられると竿に巻きつくなどして乾燥しにくくなる。
（ハ）実願平６−６８６８９のような考案では、洗濯物を干したときの風通しが悪く乾燥しにくい。
本発明は、以上のような問題点をなくすためになされたものである。
【課題を解決するための手段】
【０００５】洗濯バサミ本体に適度な長さの紐を取り付け、紐の長さはアジャスターで調節できるようにし、紐の末端をループ状にする。  使用するときは紐をベランダの手すり等にかけこのループに先端の洗濯バサミ部分を通して固定させ、洗濯バサミでシーツの裾などを挟む。
【発明の効果】
【０００６】風が吹いても、シーツはあらかじめ調節した紐の長さ以上にはあおられることがないので、建物の外壁やガラス戸や網戸の汚れがシーツに付着することがなくなる。また、他のものに絡みつくこともなくなる。
【図面の簡単な説明】
【０００７】
【図１】本発明の斜視図である。
【図２】本発明の使用状態を示した斜視図である。
【発明を実施するための形態】
【０００８】以下、本発明の実施の形態について説明する。
（イ）  洗濯バサミ本体（１）に紐（２）を取り付ける。
（ロ）  紐（２）の長さを調節するために、紐（２）にアジャスター（３）を設ける。
（ハ）  紐（２）の端をループ状（４）にし、結び目をループエンド（５）で覆う。
本発明は以上のような構造で、これを使用するときは、ベランダの手すり（７）に取り付ける場合は、紐（２）を手すり（７）にかけ、ループ（４）の中に洗濯バサミ（１）をくぐらせて紐（２）を固定する。
紐（２）の長さをアジャスター（３）で調節する。
洗濯バサミ（１）を洗濯物（６）の裾部分に挟みつける。洗濯物（６）のもう片方の裾部分にも同様にして紐付き洗濯バサミを使用する。
【符号の説明】
【０００９】１  洗濯バサミ
２  紐
３  アジャスター
４  ループ
５  ループエンド
６  洗濯物
７  手すり
【図１】
2013022445.tif 000003
【図２】
2013022445.tif 000004
(57)【要約】【課題】柄が長いということは、フライパンが重たくなる課題がある。その課題を、遠くから、火の近くで振る必要がなく、解決しようとするものである。【手段】フライパン３と柄１の取付け部分に支点４のキャスタを設ける。柄の向側にフライパンと柄を安定させるための受け棒５を設ける。フライパン３と受け棒５に連結して、柄の上部に挟み柄２を設ける。その挟み柄２の下部にキャスタ４を回転できるように固定する。柄と挟み柄で挟む炒めフライパンである。【選択図】図１
2013022444.tif 000002
【特許請求の範囲】
【請求項１】
柄１に挟み柄２を設け、柄と挟み柄で挟むことでフライパンを動かす方法の炒めフライパン。
【請求項２】
柄の下部にキャスタを設け、柄の中にバネを設ける。キャスタの下部に受け棒を設けて受け棒５をレールにキャスタを転がし前後にフライパンを振る操作をする方法の炒めフライパン。
【発明の詳細な説明】
【技術分野】
【０００１】  本発明は炒め物を作る時掻き回すフライパンの装置である。
【背景技術】
【０００２】  従来、各職種において掻き回す道具は数多くあったが、フライパンは、油汚れ、高温と悪条件が重なり常に手入れの必要なもので、掻き回す装置があると却って邪魔になることがあった。そのため改良されず現在も手で振る操作で炒め物をしていた。
【特許文献１】特願２００５−２０２２２５
【発明の開示】
【発明が解決しようとする課題】
【０００３】  フライパンを振るということは、フライパンの重さと中の材料の重さで、楽に掻き回すことができなかった。柄が長いということは、フライパンが重たくなる課題がある。その課題を、遠くから、火の近くで振る必要がなく、解決しようとするものである。【０００４】  火の近くで振るということは、油汚れ高温とで、理想的ではないが、従来のまま柄長のフライパンにすると重心の位置が移動するのでフライパンが重たくなる。この掻き回し操作の課題を解決するものである。
【課題を解決するための手段】
【０００５】  フライパンの柄１を手前として、向側をフライパン３とする。そのフライパン３と柄１のボックス部に支点４のキャスタを設ける。柄の向側にフライパンと柄を安定させるための受け棒５を設ける。その受け棒の上部に挟み柄２を設ける。【０００６】  フライパン３と真棒と挟み柄は１本のシャフトになる。その挟み柄の真棒の下部にキャスタ４を設け、柄の向側の受け棒をレールにバネ８で前後に転がすようにする。【０００７】柄１を持つて挟み柄２を挟むと真棒が向こう側に動き、フライパンの重さをキャスタで軽く動かしフライパンを向こう側に移動する。柄と挟み柄の間にバネ９を設け挟み柄をはなすとバネの弾力とフライパンの重さで、手前に引き寄せるようにする。【０００８】  挟み柄２を挟むと支点４のキャスタでフライパン３の向側が上がり、フライパンの中の材料がテコの原理で軽く動き、ボックスの中の下部の受け棒５をレールにキャスタで前後にも軽く動きフライパンを振る操作をする。【０００９】  挟み柄にバネ８を設け真棒７を向こう側に動かすとバネ８の弾力でボックスの中を押されて移動し、キャスタの支点４でシーソー運動をしながらスライドさせる。
【発明の効果】
【００１０】  本発明により、今までフライパンとフライパンの中の材料の重さが人の腕にかかっていたが、テコの原理により、又キャスタを転がし前後に軽く移動出来るので、向こう側を持って動かしたように楽にフライパンを振ることが出来る。【００１１】  何よりも遠くから楽に火の近くで振る必要がなく、理想の炒めフライパンである。
【発明を実施するための最良の形態】
【００１２】［図４］は、大型のフライパンとして改良しようとするものである。柄１に挟み柄２を設け、その交差するフライパンの付け根の所に支点を設ける。フライパンの柄の向側に受け棒を設けて受け棒５をレールに動く、柄の下部に固定したキャスタ４を設ける。【００１３】  柄１を受け棒５で安定させ挟み柄２を押すことでキャスタとバネ８でフライパン３を移動させる。挟み柄２を向側に押しバネの弾力で前後に動かしキャスタ４の回転で軽く動かしスライドするようにする。柄１と挟み柄２を挟みフライパンの向側を持ち上げる。【００１４】［図１］は軽量のフライパンである。片手で振る重さのフライパンである。受け棒５の向側の端が上がっているのでフライパン３を持ち上げ振ることが出来る。【００１５】［図４］は左手で柄１を持ち、右手（利き手）で挟み柄２を動かして両手で振るフライパンである。フライパンの柄の中は真棒を差し込むように収縮させる。
【産業上の利用可能性】
【００１６】  業務用としても利用できるので容易である。【００１７】
【図面の簡単な説明】
【００１８】
【図１】  本発明の側面図
【図２】  本発明の使用状態を示す斜視図
【図３】  挟み柄で挟む状態を示す斜視図
【図４】  大型のフライパンの側面図
【図５】  本発明の使用状態を示す斜視図
【図６】  挟み柄で挟む側面図  一部断面図
【符号の説明】
【００１９】  １    柄
２    挟み柄
３    フライパン
４    キャスタ
５    受け棒
６    ボックス
７    真棒
８    バネ
９    バネ
１０    バネ止め
１１    支点
１２    挟み柄の分離接続部分
１３    短縮部分
【図１】
2013022444.tif 000003
【図２】
2013022444.tif 000004
【図３】
2013022444.tif 000005
【図４】
2013022444.tif 000006
【図５】
2013022444.tif 000007
【図６】
2013022444.tif 000008
(57)【要約】【課題】グラスに付いた水滴を受ける為に使われているコースターには、紙製の物と非紙製の物が使われている。前者は使い捨てになる物が多く非経済的であり、後者は十分な吸収性がなく水滴でテーブルを濡らしてしまう難点があった。これら二つの短所を克服する簡単な構造のコースターを提供する。【解決手段】コースター本体（１）の端部にて、上板（２）と下板（３）で接合板（５）を挟んで接着する簡単な構造とすることで製造コストが抑えられる。使用するときは、ティッシュ（６）をコースター本体（１）に挟み、上板（２）の端を切り込み（４）に引っ掛け固定する。ティッシュ（６）を交換することで繰り返し使用可能な吸収性の良いコースターとして機能する。【選択図】図１
2013022443.tif 000002
【特許請求の範囲】
【請求項１】
コースターの端部で上板と下板で接合板を挟んで接着する構造のティッシュ利用のコースター。
【発明の詳細な説明】
【技術分野】
【０００１】
本発明は、ティッシュペーパーを用いてコースターの役割をする、ティッシュ利用のコースターに関するものである。
【背景技術】
【０００２】
一般に、冷えた飲み物をグラスに入れて出す場合、水滴が垂れるのを防ぐ為にコースターが使われている。紙製の物と非紙製の物があるが、紙製の物は使い捨てとなり非経済的であり、非紙製の物は水滴を十分に吸収できずテーブルを濡らすという難点がある。
【先行技術文献】
【特許文献】
【０００３】
【特許文献１】実登３１５２６９３
【発明の概要】
【発明が解決しようとする課題】
【０００４】
本発明は、ティッシュペーパーを挟んで使うコースターで、その構造が簡単且つ製造コストを抑えた物を提供する。
【課題を解決するための手段】
【０００５】
下板（３）と、中央にグラスの底面より大きめの穴を設けた上板（２）との間にティッシュ（６）を挟み、切り込み部（４）にて上板（２）の端を固定する構造とする。
また、上板（２）と下板（３）はコースター本体（１）の端部にて接合板（５）を挟んだ接着構造とする。
【発明の効果】
【０００６】
本発明では、ティッシュを用いる為、水滴の吸収が良いのでテーブルを濡らすようなことがなく、ティッシュを交換することで繰り返し使用を可能とする。また、構造が簡単である為に製造コストが抑えられる。
【図面の簡単な説明】
【０００７】
【図１】本発明の斜視図である。
【発明を実施するための形態】
【０００８】
以下、本発明の実施の形態を説明する。
上板（２）の中央部には、グラス底面よりも大きめの穴をあける。
下板（３）には、折り畳んだティッシュ（６）を上板（２）との間に挟んで固定できるように、切り込み（４）を設ける。
上板（２）と下板（３）は端部にて、接合板（５）を挟んで接着する。
前記各板（２）（３）（５）は薄く軟質のプラスチック素材を使用することで、上板（２）を切り込み（４）に引っ掛けることを容易とする。
【産業上の利用可能性】
【０００９】
ティッシュペーパーを交換するだけで繰り返し使用でき、非常に経済的且つ機能的である為、飲食店、職場、家庭など様々な環境で使用可能である。
また、コースター本体は薄いプラスチック素材で製造コストが少なくて済むことから、銀行、郵便局、各企業における販売促進の粗品としても利用できる。
【符号の説明】
【００１０】
１  コースター本体
２  上板
３  下板
４  切り込み
５  接合板
６  ティッシュ
【図１】
2013022443.tif 000003
(57)【要約】【課題】点眼する時、勘をたよりに点眼するのではなく目から外れているか的中してるかを見ながら点眼出来る点眼サポートミラーを提供する。【解決手段】本発明は、円形ミラー（１）の中心に点眼容器のノズル（４）が入る大きさの穴を設ける。ミラーの円周は（２）のリングで保護する。ミラー裏側の両サイドにヒモ（３）を設ける。ヒモは点眼容器と一緒に持ち点眼する。ミラーを、容器のノズルにセットしてサポートする点眼サポートミラーを特徴とする。【選択図】図１
2013022442.tif 000002
【特許請求の範囲】
【請求項１】
（イ）  円形のミラー（１）の中心に穴を開け、ミラーの周囲をゴムやプラスチック（２）で保護して裏側両サイドにヒモ（３）を設け、一般の点眼容器（４）にセットする点眼サポートミラー。
【発明の詳細な説明】
【技術分野】
【０００１】この発明は、点眼容器のノズル部に、穴の開いたミラーを差し込み点眼するもので、注す方の目でノズルが見え簡単に的中できるようにしたものである。
【背景技術】
【０００２】従来、点眼容器のノズルに嵌め込むミラーは無かった。
【発明の開示】
【発明が解決しようとする課題】
【０００３】これまで、次のような欠点があった。
目薬を注す時、点眼容器のノズルを目に向けて、上を向きながら勘にたよって注しているので、瞼や眉毛に触れれば雑菌も入る。
多くの人が、的を外しながら注してるので何滴も無駄にしています。
本発明は、以上のような欠点を無くす為になされたものである。
【課題を解決する為の手段】
【０００４】ミラーの中央に点眼容器のノズルが入る大きさの穴を開け（１）
ミラーの周囲はゴムやプラスチックで保護します（２）
ミラーの裏側の両サイドにヒモを設けます（３）
本発明は、以上を組み合わせた点眼サポートミラーであります。
【発明の効果】
【０００５】点眼サポートミラーを点眼容器に付けてノズルを見ると、注す方の目が映ってるので、どの位置にノズルがあるか一目で分かり簡単に的中できる。
よって目薬の無駄を無くす事が出来る。
瞼や眉毛等周囲に触れて、雑菌が目に入る事も無くなる。
他人に目薬を注してあげるような感じで、自分の目に注す事が出来る。
【発明をを実施する為の最良の形態】
【０００６】以下、本発明を実施する為の最良の形態について説明する。
円形ミラー（１）の中心に点眼容器のノズルの先端が入る大きさの穴を開ける。
円形ミラー（１）の周囲をゴムやプラスチックで保護するリング（２）を設ける。
円形ミラー（１）の裏側両サイドに、ヒモ（３）を設ける。
本発明は、以上のような構造である。
どの目薬容器にでも使用出来るのが特徴で、ノズルに嵌めた後ヒモと一緒に容器を持ち点眼します。
液の出るノズルが目のどの位置にあるかがすぐ判ります。
【図面の簡単な説明】
【０００７】
【図１】本発明の斜視図である。
【図２】本発明を点眼容器のノズルにセットした図である。
【符号の説明】
【０００８】１  ミラー
２  保護リング
３  ヒモ
４  点眼容器
【図１】
2013022442.tif 000003
【図２】
2013022442.tif 000004
(57)【要約】      （修正有）【課題】今まで所持していた手動式リールを片手で操作できるように、巻取りレバーの取り付け部に着脱式巻取モーターを設けた巻取りモーターを提供する。【解決手段】手動リール本体１０に巻き上げ用モーター１を設け、手元で操作できるように巻き上げようスイッチ８を止めバンド９で固定し、回り止め用固定具４で供回りを防止した着脱できる巻き上げモーター。【選択図】図１
2013022017.tif 000002
【特許請求の範囲】
【請求項１】
手動リールのレバー取り付け部（２）に巻取り用のモーター（１）と、竿（１１）に操作用のスイッチ（８）を設けた、着脱可能な巻取り用モーター。
【発明の詳細な説明】
【技術分野】
【０００１】  この発明は、着脱式の釣り用電動モーターに関するものである。
【背景技術】
【０００２】  手動式のリールを持っていたが、利き手を怪我してレバーを回す事が困難になり処分しないで使える事が出来ないだろうかと考え考案しました。
【先行技術文献】
【０００３】
【特許文献１】
【非特許文献１】
【発明の概要】
【発明が解決しようとする課題】
【０００４】  手動式のリールをそのまま利用した着脱できる電動巻き取りリールが無く片手を怪我してしまってレバーを回せなくなったらリールを電動式に買い替えざるをえなかった。
本発明は、以上のような欠点を無くすためになされたものである。
【課題を解決するための手段】
【０００５】  元々付いていたレバー用の止めネジ（３）と、巻き上げ用の電動モーター（１）、モーターを操作する巻き上げスイッチ（８）、供回りを防止する回り止め用固定具（４）との構成よりなる釣り用電動モーターです。
【発明の効果】
【０００６】  （イ）今まで使用していた手動リールをそのまま使用できる。
（ロ）片手で巻き上げができる。
【図面の簡単な説明】
【０００７】  本体（１０）に付属するレバーを取り外し、巻き上げ用モーター（１）を固定ネジ（３）で固定する。
回転時に供回りを防止するために回り止め用固定具（４）を取り付け固定用蝶ネジ（５）で固定し、竿（１１）に巻き上げ用スイッチ（８）を取り付け止めバンド（９）にて固定する。
左右で回転方向が異なるので巻き上げ用モーター（１）には左右の回転を選択するセレクトスイッチ（６）を設ける。
【発明を実施するための形態】
【０００８】  以下、本発明を実施するための形態について説明する。
手動レバーの取り付け部（１）にモーター（２）を取り付け、元々付いていた止めネジ（３）で固定し、竿（１１）に巻き上げ用のスイッチ（４）を取り付ける。
本発明は、以上のような構造である。
これを使用する時は、一体となったモーターを使用し、竿に取り付けたスイッチを操作し、糸を巻き上げる。
【符号の説明】
【０００９】  １  巻き上げ用モーター
２  手動レバー取り付け部
３  固定ネジ
４  回り止め用固定具
５  固定用蝶ネジ
６  セレクトスイッチ
７  電線
８  巻き上げ用スイッチ
９  止めバンド
１０  本体
１１  竿
１２  リール回転範囲
１３  巻き取り装置
【図１】
2013022017.tif 000003
【図２】
2013022017.tif 000004
【手続補正書】
【提出日】平成24年3月11日(2012.3.11)
【手続補正１】
【補正対象書類名】明細書
【補正対象項目名】０００７
【補正方法】変更
【補正の内容】
【０００７】
【図１】取り付け時、後部からの図
【図２】取り付け時、上部からの図
【手続補正書】
【提出日】平成24年6月2日(2012.6.2)
【手続補正１】
【補正対象書類名】明細書
【補正対象項目名】０００７
【補正方法】変更
【補正の内容】
【０００７】
【図１】  取り付け時、後部からの図
【図２】  取り付け時、上部からの図
(57)【要約】【課題】  庭等での草抜きの際、身体にかかる負担を軽減する草抜きはさみの発明。【解決手段】  一般に、空き缶拾いの際等に使用されている二股のはさみが、身体に負担がかからないはさみと認められたので、そのはさみを草抜きが出来る形状に新規に創製し、草抜きはさみとして使用可能とした。【選択図】図２
2013022011.tif 000002
【特許請求の範囲】
【請求項１】
三枚刃（二点押さえ）の草抜きはさみ（刃詰まり防止バネ付）は、刃先の両端に二枚刃と一枚刃の計三枚刃を創製したものであり雑草の茎を三枚刃で挟み込んだ際、刃相互の一致させた噛み合わせの接点（二ヶ所で二点押さえと仮称）から生まれる刃先の強力な挟む力。
【発明の詳細な説明】
【技術分野】
【０００１】本発明は、三枚刃（二点押さえ）の草抜きはさみです。
空き缶等のゴミ拾い時に、一般に利用されている柄の長い金属製で、二股のはさみが、身体に無理な負担をかけない草抜き道具になるのではないかと考えて発明したものです。
それで、本発明のはさみは、片手使用で柄が長いところから、雑草を引き抜く際に刃先にかかる力を強める必要があり、刃先を三枚刃に創製し、あわせて使用時に刃先に付着する土砂を排除するため刃先に排除バネを装着し、その結果継続して使用出来る草抜きはさみが完成したものです。
【背景技術】
【０００２】科学が発達した今日に至っても、従来の、草抜き用具に、身体の負担を軽減するような草抜きはさみは、見てもいないし聞いてもいない。
庭等に、はびこる雑草の草抜きが簡単に出来る道具があれば、どんなにか草抜きが楽になるだろうかと考え、その助けになる草抜きはさみを開発すること。
【先行技術文献】
【特許文献１】
【０００３】
【発明の概要】
【発明が解決しようとする課題】
【０００４】庭の植え込み、芝生等に出てくる雑草を除草するためには、これまで地面をはうようにしての草刈り鎌等を使っての草抜き除草作業であり身体にかかる負担は、重大である。
このため、身体にかかる負担を軽減する草抜きはさみを発明すること。
【課題を解決するための手段】
【０００５】空き缶を拾う際等に使われている帯状で、柄の長い二股で鋼製のはさみ１の先端部に、新規に凹刃部、凸刃部の計三枚刃２を創製して、雑草を根っこから引き抜くための強力な刃先を設けた。
また、はさみの刃先のうち凹刃部に付着する土砂等を、排除するために凹刃部の内部に、はさみの開閉と連動するバネ（仮称刃詁まり防止バネ）３を取り付けて凹刃部に付着する土砂等を排除する構造とした結果、連続して、はさみの使用が可能となった。
更に、はさみの水平安定のために本体１の先端部側に、六角ボルト４を取付けはさむ際の刃先の安定をさせた。
【発明の効果】
【０００６】本体の長さが約５０センチメ−トルあるところから植え込みの根元部等に刃先が届き、更に周囲約１メ−トルの範囲の除草が足下を移動しないでも可能となり身体にかかる負担が、軽減された。
また、三枚刃の凹部、凸部の接点から生まれる二ヶ所（二点の押さえ）は強固であり簡単に雑草を根っこから引き抜く爽快感が使用時に生まれます。
【図面の簡単な説明】
【０００７】
【発明の効果】
【０００６】本件発明の、はさみは、身体に負担がかからない片手使用の長さ約５０センチメ−トルのものであり、片手で柄を握り、植え込みの根元や芝生の中に生えた雑草を、刃先でつまんで根っこから引き抜く事が出来るもので、柄の長さや三枚刃の刃先が生んだ強力な挟む力は、良好です。
従来の草抜き方法は、鎌を片手に、かがみこんで地面を、はうようにして、雑草を地面から、引き抜くという方法が、一般的な草抜きのやり方でしたが、身体にかかる負担は、相当なものと認識しているものです。
本発明のはさみは、長い柄と強力な刃先等の機能を持つものです。
このため、身体に無理な姿勢を強いる事はありません。
簡単に、雑草を根っこから引き抜く事が出来ます。
【図面の簡単な説明】
【０００７】
【図１】本発明の全体図である。
【図２】本発明の使用状態を示す部分図である。
【発明を実施するための形態】
【０００８】以下、本発明の実施の形態について説明する。
イ、はさみ本体１は、帯状の、さびつかないで弾力性に富んだステンレス綱が適している。
ロ、形状について
本体の長さが、柄の部分を含めて約５０センチメ−トルある二股の帯状はさみが適している。
ハ、はさみの先端部に二枚刃（凹部側の刃）と一枚刃（凸部側の刃）の計三枚刃（二点押さえ）を造る。
ニ、刃先の効果を維持するために、刃先凹部に詰まる土砂等を排除するバネ（仮称刃詰まり防止バネ）を本体と連動して動作するように固定取付ける。
ホ、刃先の上下振れ防止のため水平安定用ボルトを先端部側に片側固定で取付ける。
【符号の説明】
【０００９】１  はさみ本体の斜視図
２  はさみの先端部の二枚刃（凹部側の刃）と一枚刃（凸部側の刃）の状態を示す斜視図
３  はさみの凹部に付着する土砂等を排除するバネの斜視図（補肋引きバネを含む）
４  はさみの水平を保持する片側固定のボルト（押しバネ付）４の取付け部を示す斜視図
【図１】
2013022011.tif 000003
【図２】
2013022011.tif 000004
(57)【要約】【課題】本発明は、ナイロン素材のシート状の物を３段階の高さに、２種類の缶の口径の大きさにくり抜き、水を入れた缶を逆さまに差し込み中の水が切れるシートです。また、シートの下にはシンク形態（各種）に合わせたトレーをつけ、切れた水がシンク内にはいるトレーにナイロン素材のシートを載せて洗浄した水を切るシートを提供する。【解決手段】本発明は、水切りシート（１）を収めるトレー（２）設けた水切りシートを特徴とする。【選択図】図１
2013022093.tif 000002
【特許請求の範囲】
【請求項１】
水切りシート（１）を収めるトレー（２）設けた水切りシート。
【発明の詳細な説明】
【技術分野】
【０００１】
本発明は、空き缶を洗った時に、逆さまにして水を切る行為に関するものである。
【背景技術】
【０００２】
従来、空き缶を洗った時に、空き缶の中に水を入れ濯いだら、逆さまにし水を抜きますが、平らな所に置いた状態では、水は全く抜けません。水が抜けるまで逆さにして持っていなければならなかった。
【先行技術文献】
【特許文献】
【０００３】
【非特許文献】
【０００４】
【発明の概要】
【発明が解決しようとする課題】
【０００５】
解決しようとする問題点は、空き缶を濯ぐ時、缶に水を入れ、逆さまに平らな所に置いたとき中の水は抜けず、水か抜けるまで逆さにして持っていなければならなかった。ゆえに、家事仕事に時間がかかる。本発明は以上のような欠点をなくすために、なされたものである。
【課題を解決するための手段】
【０００６】
本発明は、空き缶の水切りシート（１）、トレイ（２）である。
【発明の効果】
【０００７】
本発明の水切りシートは、３段階の高さと２種類の空き缶に対応したシートです。空き缶を逆さまにした状態でも倒れにくく、家事の時間短縮が可能である。
【図面の簡単な説明】
【０００８】
【図１】本発明の平面図
【図２】本発明の断面図
【図３】本発明のトレーの斜視図
【発明を実施するための形態】
【０００９】
以下、本発明を実施するための最良の形態について説明する。
ナイロン素材のシート状な物を３段階の高さに、２種類の缶の口径をくり抜き、水を入れた缶を逆さまに差し込み水が切れるシートです。また、シートの下には台所形態（各種）に合わせたトレーをつけ、切れた水がシンク内はいるようにする。
本発明は、以上のような構造である。
この水切りシートを利用する事により、効率的かつ、効果的に空き缶を洗い流せる事が可能となる。
【符号の説明】
【００１０】
１    水切りシート
２    トレー
【図１】
2013022093.tif 000003
【図２】
2013022093.tif 000004
【図３】
2013022093.tif 000005
(57)【要約】      （修正有）【課題】登山、山行後のリュックサックは汚れ、汗等で大変不衛生な状態となる事を解消できるリュックサックを提供する。【解決手段】リュックサック本体１と背中側のパット３ショルダー部分２及び、ウエストベルト部分４が容易に脱着可能とする。【選択図】図１
2013022094.tif 000002
【特許請求の範囲】
【請求項１】
リュックサック本体（１）背中側に従来一体化されていた、パット（２）ショルダー部分（３）及び、ウエストベルト部分（４）が容易に脱着可能かつ、使用時は賢個に固定がなされている機能を設けたリュックサックである。
【発明の詳細な説明】
【技術分野】
【０００１】
本発明は、リュックサック本体、背中側のパットとショルダー部分及び、ウエストベルト部分が取り外しが出来る、リュックサックに関するものである。
【背景技術】
【０００２】
従来、リュックサックは、本体と背中側のパット、ショルダー部分及び、ウエストベルト部分が一体化されており、容易に洗濯が出来るリュックサックは存在していなかった。
【先行技術文献】
【特許文献】
【０００３】
【非特許文献】
【０００４】
【発明の概要】
【発明が解決しようとする課題】
【０００５】
解決しようとする問題点は、登山、山行後のリュックサックは汚れ、汗等で大変不衛生な状態となる。数十リットルのリュックサックは丸洗いする事が容易ではなく、洗濯が出来ませんでした。そこで、リュックサック本体と背中側のパット、ショルダー部分及び、ウエストベルト部分が取り外しが出来る事により、効果的に洗濯が可能となる。また、リュックサック本体の形状、色等を容易に組み替える事が出来、コストパフォーマンス面でもPR出来る。本発明は以上のような欠点をなくすために、なされたものである。
【課題を解決するための手段】
【０００６】
本発明は、リュックサック本体（１）と背中側のパット（２）ショルダー部分（３）及び、ウエストベルト部分（４）が容易に脱着可能かつ、固定時は賢個に固定がなされている。リュックサックである。
【発明の効果】
【０００７】
本発明のリュックサックは本体と背中側のパット、ショルダー部分及び、ウエストベルト部分が取り外しが出来る事により、効果的に洗濯が可能となる。また、リュックサック本体の形状、色等を容易に組み替える事が出来、コストパフォーマンス面でもPR出来る。
【図面の簡単な説明】
【０００８】
【図１】本発明の斜視図（通常時後側）
【図２】本発明の斜視図（脱着した状態、ショルダー）
【図３】本発明の斜視図（脱着した状態、パット）
【図４】本発明の斜視図（脱着した状態、ウエストベルト）
【図５】本発明の斜視図（脱着した状態、リュックサック本体の後側）
【発明を実施するための形態】
【０００９】
以下、本発明を実施するための最良の形態について説明する。
リュックサック本体（１）背中部分上部に脱着ベース部分を設け、ショルダー部分（２）上部側に同等なベース部分を設け、ベース部分にはリュックサック側に固定する賢個なフック（８）を設け、双方のベース部分をビス（７）等で容易に固定する事が出来る。また、リュックサック本体（１）背中部分下部に脱着ベース部分を設け、ウエストベルト部分（４）中央に同等なベース部分を設け、ベース部分にはリュックサック側に固定する賢個なフック（８）を設け、双方のベース部分をビス（７）等で容易に固定する事が出来る。また、背中側のパットはリュックサック本体の上下2か所にワンタッチテープ（９）にて固定するとともに、両サイドのファスナー（10）及び、パットについているベルト（６）でリュックサック本体に容易に取り付け取り外しが出来る。
本発明は、以上のような構造である。
この機構を利用する事により、効果的に洗濯が可能となる。また、リュックサック本体の形状、色等を容易に組み替える事が出来、コストパフォーマンス面でもPR出来る。
【符号の説明】
【００１０】
１    リュックサック本体
２    ショルダー
３    背中パット
４    ウエストベルト
５    パットを固定する金具
６    パット固定用ベルト
７    固定するビス
８    固定するフック
９    固定するワンタッチテープ
10  固定するファスナー  
【図１】
2013022094.tif 000003
【図２】
2013022094.tif 000004
【図３】
2013022094.tif 000005
【図４】
2013022094.tif 000006
【図５】
2013022094.tif 000007
(57)【要約】      （修正有）【課題】安価で使い捨てが出来、作業性に優れ、狭い隙間や奥深い隙間の塵埃も効果的に除去することができるだけでなく広い面も清掃可能な隙間掃除具を提供する。【解決手段】棒状で本体の２/３は塵埃を付着させ取り除く為の粘着部４、１/３は手で持ってこれを保持する粘着性のない部分５から形成される。粘着剤が塗布又は粘着シートが貼られた部分の上には、乾燥やゴミの付着を防ぐためのセロハン３又は薄い紙でできた保護紙が貼られている。使用時はこの保護紙を剥がし、棒の粘着部４を隙間に挿入して上下左右に移動させたり、広い表面では棒を横向きに使用して面を撫でることによって塵埃を付着させ除去する。【選択図】図１
2013022176.tif 000002
【特許請求の範囲】
【請求項１】
棒体で塵埃を付着させ取り除く為の粘着部と手で持ってこれを保持する粘着性のない部分から形成されると共に粘着部の表面上には、乾燥やゴミの付着を防ぐセロハン又は薄い紙でできた保護紙が貼られていることを特徴とする隙間掃除具。
【請求項２】
棒体の略２/３が粘着部、略１/３は手で持ってこれを保持する粘着性のない部分から構成されたことを特徴とする請求項１記載の隙間掃除具。
【発明の詳細な説明】
【技術分野】
【０００１】
本発明は、主に狭い隙間や奥深い処の塵埃を取り除く隙間掃除具に関するものである      
【背景技術】
【０００２】
従来の隙間掃除具には静電気で塵埃を吸い寄せるものや、汚れたら洗って何度も使用する布製のものがある。
【先行技術文献】
【特許文献】
【０００３】
【特許文献１】特開２００２−８５３２４号公報
【発明の概要】
【発明が解決しようとする課題】
【０００４】
従来の掃除具では極小の隙間に入らなかったり、掃除の後に細かな塵埃が舞ったり残
ったりサッパリ気持ちよく取り除くことが出来なかった。また高価で繰り返し使用するタイプのものは、洗濯のとき1度取れた塵埃が他のものに付着する心配もあった。
【課題を解決するための手段】
【０００５】
本発明は棒状で本体の２/３は塵埃を付着させ取り除く為の粘着部、残り１/３は手で持ってこれを保持する粘着性のない部分から形成される。粘着剤が塗布又は粘着シートが貼られた部分の上には、乾燥やゴミの付着を防ぐためのセロハン又は薄い紙でできた保護紙が貼られている。使用時はこの保護紙を剥がし、粘着部を隙間に挿入して棒を上下左右に移動させたり、広い表面では棒を横向きに使用して面を撫でることによって塵埃を付着させ除去する。
【発明の効果】
【０００６】
どんなに狭い部分でもこの掃除具を差し込むことによって掃除できる。また、隙間でなくても、全体を撫でることによって、側面、平面の清掃も可能である。安価な紙を使用しているので、粘着効果の落ちたものは使い捨てることができる。
【図面の簡単な説明】
【０００７】
【図１】図１は、本件発明全体を示す斜視図。
【図２】図２は、本件発明による粘着部の展開図。
【発明を実施するための形態】
【０００８】
適当な長さと径の棒体を利用することにより隙間清掃を可能とした。
【実施例】
【０００９】
両面が粘着質のシート２を棒体１の端から２/３上に巻き付ける。又は、棒体１の端から２/３上に粘着剤を塗布する。その上に保護セロハン(紙)３を巻きつける。使用時は上のセロハン(紙)３を取り除いて、粘着部４でない部分５を持って、隙間に差し込んで上下左右に動かしたり、棒を横に使い、広く面を撫でて掃除したりする。
芯となる棒の素材は安価である程度の固さを保てる再生紙で、直径は５ｍｍから１ｃｍ程度、棒の長さは大（５０センチ）・中〈３０センチ〉・小（２０センチ）と必要に応じて使い分けすることができるようにする。
【産業上の利用可能性】
【００１０】
隙間又は隙間にかかわらず、手の届きにくい落ちている物を引っ付けて取り出すこともできる。
【符号の説明】
【００１１】
１  棒体
２  粘着シート
３  セロハン（紙）
４  粘着部
５  粘着性のない部分
【図１】
2013022176.tif 000003
【図２】
2013022176.tif 000004